(57)【要約】  本発明はズボンラックに関し、ズボンのベルト縫製線を基準に上部が厚くてその下の部分の厚さがいつも薄いという点を見つけ、その厚さを利用した発明であって、両手でズボンのベルト部分を持ってラック手段の突出された支持棒の間にズボンのベルト縫製線の下部分を挿入させて両手を離すとベルトの下部分よりいつも厚いベルト縫製線の上部が自然に支持棒に安着されて、ズボンが掛けられる原理を利用するがラック手段は、必要によってその数を異なるようにすることができてズボンの収納空間を増やしたり減らすことができるとともに、ズボンの厚さによって支持棒の間の幅を調節することができて、使用が非常に簡単になるように発明されたズボンラックである。
2013510638.tif 000002
【特許請求の範囲】
【請求項１】
壁面、たんすに直接付着されたり支持部材に付着される本体部（１１０）と；前記本体部（１１０）の前面に所定間隔に連続的に形成された複数のズボン挿入空間部（１３０）を形成するように所定間隔に連続的に突出して形成されている支持棒（１２０）を含んで構成され、前記支持棒（１２０）の間に形成された挿入空間部（１３０）にズボンを広げた状態で挿入させてズボンで比較的厚さの厚いベルト締結部（２１０）が前記支持棒（１２０）に自然に安置されて保管されるように構成されることを特徴とするズボンラック（１００）。
【請求項２】
前記支持部材（１４０）は壁面、たんすに付着される補強板材若しくは地面に直立設置されるハンガー支柱の中で選択された何れか一つであることを特徴とする請求項１に記載のズボンラック（１００）。
【請求項３】
前記支持棒（１２０）の厚さは後側から前側に行くほど薄くなるように形成して、前記支持棒（１２０）の間に形成された挿入空間部（１３０）が後側から前側に行くほど広くなるようにしてズボンの挿入作用と引出作用が容易になるように構成されることを特徴とする請求項２に記載のズボンラック（１００）。
【請求項４】
前記本体部（１１０）の両側面には二つ以上を横方向に連結する時その連結部分にもズボン挿入空間部（１３０）が形成されるようにズボン挿入空間部（１３０）の後側広さの半分に対応する長さの延長部がさらに形成されることを特徴とする請求項１に記載のズボンラック（１００）。
【請求項５】
幅調節が可能なズボンラックにおいて、
壁面、たんすに直接付着されたり支持部材（３４０）に付着されるガイドバー（３１０）と；前記ガイドバー（３１０）に分離可能に嵌合される本体（３２２）と、前記本体（３２２）の前面から前側に突出して形成される支持棒（３２６）で構成されて少なくとも二つが前記ガイドバー（３１０）に結合されて前記支持棒（３２６）の間にズボンを挿入することができるズボン挿入空間部（３２８）を形成するラック手段（３２０）と；前記ラック手段（３２０）が無断に遊動されることを防止するように前記ガイドバー（３１０）の両側に結合されて前記ラック手段（３２０）の両側に緊密に固定される固定装置（３３０）とを含み、前記支持棒（３２６）の間に形成された挿入空間部（３２８）にズボンを広げた状態で挿入させてズボンで比較的厚さの厚いベルト締結部が前記支持棒（３２６）に自然に安置されて保管されるように構成されることを特徴とするズボンラック（１００’）。
【請求項６】
前記ガイドバー（３１０）は安置台（３４６）と上部連結棒（３６０）との間に嵌められて固定されることを特徴とする請求項５に記載のズボンラック（１００’）。
【請求項７】
前記本体は前記ガイドバー（３１０）に強制結合されることができるように前記本体の下部に突出バー（３２３）と挿入口（３２５）が形成されていることを特徴とする請求項５に記載のズボンラック（１００’）。
【請求項８】
前記支持部材は前記ガイドバー（３１０）の側面を壁面に固定させることができる安置台（３１６）、壁面とたんすに付着される補強板材若しくは地面に直立設置されるハンガー支柱（３４４’）の中で選択された何れか一つであることを特徴とする請求項５に記載のズボンラック（１００’）。
【請求項９】
前記ハンガー支柱（３４４’）は上部連結棒（３６０）が下部連結棒（３７０）の内径に挿入されて固定され、下部連結棒と上部連結棒の結合部分に高さ延長部（３８０）を挿入して前記ガイドバー（３１０）の高さを調節することができることを特徴とする請求項８に記載のズボンラック（１００’）。
【請求項１０】
前記支持棒（３２６）の厚さは後側から前側に行くほど薄くなるように形成し、前記支持棒の間に形成された挿入空間部が後側から前側に行くほど広くなるようにして、ズボン（２００）の挿入作用と引出作用が容易になるように構成されることを特徴とする請求項５に記載のズボンラック（１００’）。
【請求項１１】
前記支持棒の間に形成されるズボン挿入空間部（３２８）の幅を拡張させることができるように本体の間に具備される間隔維持部（３１４）をさらに含むことを特徴とする請求項５に記載のズボンラック（１００’）。
【発明の詳細な説明】
【技術分野】
【０００１】
本発明はズボンラックに関し、ズボンのベルト部分の縫製線を基準に上部が厚く、その下の部分が薄いという点を利用してその厚さを利用した発明であって、両手でズボンのベルト部分を取ってラック手段の突出された支持棒の間にズボンのベルト縫製線下部分を挿入させ、両手を離すと、ベルト下の部分より厚いベルト縫製線の上部が自然に支持棒に安着されてズボンが掛けられる原理を利用して、ラック手段は必要によってその数を異なるようにすることができて、ズボンの収納空間を増やしたり減らすことができ、またズボンの厚さによって支持棒の間の幅を調節することができて、非常に容易に使用できるように発明されたズボンラックに関する。
【背景技術】
【０００２】
一般的に、ズボンは上下に折ってその折られた部分を公知の三角形のハンガーにかけて保管するか、ズボンを広げた状態で倒してズボン吊りに固定させて保管する。
【０００３】
しかし、前者の場合には、ズボンをハンガーにかける時も、片手でハンガーを持ち、他方の手でズボンを掛けるため、ズボンラックに装着することが非常に不便であり、ズボンを上下に折るため、その部分に皺ができて、ズボンを着用する時不便な問題があり、後者の場合にも片手でズボンを持ち、他方の手でズボン吊りを開けなければならないため、装着の時、非常に不便であり、装着した後には挟まれた部分に跡が付くという短所があった。
【０００４】
そこで、近来にはズボンを保管する時、皺を防止しながら、ズボン吊りの挟み部を広げなくても保管することができるように構成されたズボンラックが複数提案されている。大韓民国実用新案登録番号第０３４８３７１号がその代表的な例である。
【０００５】
この従来の技術によれば、本体部に棒状固定具を具備して、この固定具にベルト通しを挿入してズボンを収納するように構成される。このようなズボンラックを使用すると、前述した問題、即ち、皺が発生する問題、ズボン吊りの挟み部分を開ける短所及びズボンの端部が毀損される問題は解決される。
【０００６】
しかし、棒状固定具にズボンのベルト通しを挿入することもズボン吊りの挟み部を開けることぐらい煩雑な問題が発生され、固定具へベルト通しを頻繁に挿入したり、保管中のズボンを選択的に引き出す時、ベルト通しと固定具の安全キャップの頻繁な摩擦によって固定具の安全キャップが剥がれて鋭い金属の端部が突出されてズボンが損傷されたり、ベルト通しが毀損される問題も発生される。
【発明の概要】
【発明が解決しようとする課題】
【０００７】
本発明は前述した問題点、特にズボンラックに装着する時の煩雑さを解決するために発明されたもので、その長所の他にもズボンを折らないで広げた状態で保管して皺を防止することができるようにしながら、保管及び選択的引出が極めて容易で、必要によって収納空間を増やしたり減らすことができて、狭い空間を効率的に利用することができるズボンラックを提供することを目的とする。
【０００８】
また、本発明は前記問題点、特にズボンラックに装着する時の煩雑さを解決するために発明されたもので、その長所の他にもズボンを折らないで広げた状態で保管して皺を防止することができるようにしながら、保管及び選択的引出が極めて容易で、狭い空間を効率的に利用することができるズボンラックを提供することを目的とする。
【課題を解決するための手段】
【０００９】
前記目的を達するために、本発明は、幅調節が可能なズボンラックにおいて、壁面、たんすに直接付着されたり支持部材に付着されるガイドバーと；前記ガイドバーに分離可能に嵌合される本体と、前記本体前面で前側に突出して形成される支持棒で構成され、少なくとも二つが前記ガイドバーに結合されて、前記支持棒の間にズボンを挿入することができるズボン挿入空間部を形成するラック手段と；前記ラック手段が無断に遊動されることを防止するように前記ガイドバーの両側に結合されて前記ラック手段の両側に緊密に固定される固定装置と；を含み、前記支持棒の間に形成された挿入空間にズボンを広げた状態で挿入させてズボンで比較的厚いベルト締結部が前記支持棒に自然に安置されて保管されるように構成されることを特徴とする。
【００１０】
好ましくは、前記支持部材は前記ガイドバーの側面を壁面に固定させることができる安置台、壁面及びたんすに付着される補強板材若しくは地面に直立に設置されるハンガー支柱の中から選択された何れか一つであることを特徴とする。
【００１１】
好ましくは、前記支持棒の厚さは後側から前側に行くほど薄くなるように形成して、前記支持棒の間に形成された挿入空間部が後側から前側に行くほど広くなるようにしてズボンの挿入作用と引出作用が容易になるように構成されることを特徴とする。
【００１２】
好ましくは、前記支持棒の間に形成されるズボン挿入空間部の幅を拡張させることができるように、本体の間に具備される間隔維持部をさらに含むことを特徴とする。
【００１３】
前記目的を達するために、本発明は、ズボンラックにおいて、壁面、たんすに直接付着されたり支持部材に付着されるガイドバーと；前記ガイドバーに分離可能に嵌合される本体と、前記本体前面で前側に突出して形成される支持棒で構成され、少なくとも二つが前記ガイドバーに結合されて前記支持棒の間にズボンを挿入することができるズボン挿入空間部を形成するラック手段と；前記ラック手段が無断に遊動されることを防止するように前記ガイドバーの両側に結合されて前記ラック手段の両側に緊密に固定される固定装置とを含み、前記支持棒の間に形成された挿入空間部にズボンを広げた状態で挿入させてズボンの中で比較的厚いベルト締結部が前記支持棒に自然に安置されて保管されるように構成されることを特徴とする。
【００１４】
好ましくは、前記ガイドバーは安置台と上部連結棒との間に固定されることを特徴とする。
【００１５】
好ましくは、前記本体は前記ガイドバーに強制に結合されることができるように、前記本体の下部に突出バーと挿入口が形成されていることを特徴とする。
【００１６】
好ましくは、前記支持部材は前記ガイドバーの側面を壁面に固定させることができる安置台、壁面とたんすに付着される補強板材若しくは地面に直立設置されるハンガー支柱の中で選択された何れか一つであることを特徴とする。
【００１７】
好ましくは、前記ハンガー支柱は上部連結棒が下部連結棒の内径に挿入されて固定され、下部連結棒と上部連結棒の結合部分に高さ延長部を挿入して前記ガイドバーの高さを調節することができることを特徴とする。
【００１８】
好ましくは、前記支持棒の厚さは後側から前側に行くほど薄くなるように形成して、前記支持棒の間に形成された挿入空間部が後側から前側に行くほど広くなるようにして、ズボンの挿入作用と引出作用が容易になるように構成されることを特徴とする。
【００１９】
好ましくは、前記支持棒の間に形成されるズボン挿入空間部の幅を拡張させることができるように本体の間に具備される間隔維持部をさらに含むことを特徴とする。
【発明の効果】
【００２０】
本発明のズボンラックによれば、壁またはハンガー支柱によって固定されたガイドバーに結合されたラック手段の本体前側にある支持棒の間に両手でズボンのベルト締結部の上部を持って挿入するので保管のための装着が極めて容易であり、且つズボンを折らないで広げた状態で挿入させて保管して皺を防止することができ、また、一方前記挿入空間部は前側が広く形成されていて、保管及び選択的引出が極めて容易であるという効果がある。
【００２１】
また、複数のズボン挿入空間部を具備するとともに、複数に連結する時その連結部分ごとにズボン挿入空間部が形成されるので複数のズボンを保管することができて空間活用度が優れるという長所がある。
【００２２】
また、ラック手段は着脱可能であるので、収納空間の中にズボン挿入空間部を増やしたり減らすことができてズボンの厚さにかかわらず使用可能であり、従って、性別、年齢別、季節別にかかわらず全ての使用者が使用可能であるという優れた長所がある。
【００２３】
また、前記ガイドバーに既存のハンガーをかけることができるようにして、ズボンだけでなく上着もかけることができるという優れた長所がある。
【図面の簡単な説明】
【００２４】
【図１】本発明の好ましい実施形態によるズボンラックの斜視図である。
【図２】本発明の好ましい実施形態による図１のＡ−Ａ線に沿う横断面図である。
【図３】本発明の好ましい実施形態によるズボンラックの連結状態を示す概略的横断面図である。
【図４】本発明の好ましい実施形態によるズボンラックの使用状態を示す概略的斜視図である。
【図５】本発明の他の実施形態によるズボンラックの使用状態を示す概略的斜視図である。
【図６】（Ａ）は本発明の好ましい実施形態によるズボンラックの作用関係を示す概略的横断面図であり、（Ｂ）は本発明の好ましい実施形態によるズボンラックの作用関係を示す概略的横断面図である。
【図７】本発明の好ましいまた他の一実施形態によるズボンラックの一部分離斜視図である。
【図８】（Ａ）は本発明の好ましいまた他の一実施形態によるラック手段の拡大斜視図であり、（Ｂ）は本発明の好ましいまた他の一実施形態によるラック手段の平面図である。
【図９】本発明の好ましい他の一実施形態によるズボンラックの一部分離斜視図である。
【図１０】本発明の好ましい他の一実施形態によるラック手段の拡大斜視図である。
【図１１】本発明の好ましいまた他の一実施形態によるズボンラックの概略的平面図である。
【図１２】本発明の好ましいまた他の一実施形態によるズボンラックの使用状態を示す概略的斜視図である。
【図１３】本発明の好ましい他の一実施形態によるズボンラックの使用状態を示す概略的斜視図である。
【図１４】本発明の好ましい他の一実施形態によるズボンラックの使用状態を示す概略的斜視図及び部分拡大図である。
【図１５】図１４の概略的側断面図である。
【図１６】（Ａ）は本発明の好ましいまた他の一実施形態によるズボンラックの作用関係を示す概略的平面図であり、（Ｂ）は本発明の好ましいまた他の一実施形態によるズボンラックの作用関係を示す概略的平面図である。
【図１７】本発明の好ましいまた他の一実施形態によるズボンラックを上着かけとして使うことができるように示した概略的な斜視図である。
【発明を実施するための形態】
【００２５】
以下、添付された図面を参照して実施形態である発明のズボンラックをより詳しく説明する。
【００２６】
これに先立って、本明細書及び特許請求の範囲に用いられた用語や単語は通常的で、辞書的な意味に限定して解釈してはならず、発明者は自分の発明を最善の方法で説明するために用語の概念を適切に定義することができるという原則に即して、本発明の技術的思想に符合する意味と概念に解釈すべきである。
【００２７】
従って、本明細書に記載された実施形態と図面に示された構成は、本発明の最も好ましい実施形態に過ぎず、本発明の全ての技術的思想を代弁するものではないので、本出願時点においてこれらを代替できる多様な均等物と変形例があり得ることを理解すべきである。
【００２８】
図１は本発明の好ましい実施形態によるズボンラックの斜視図であり、図２は本発明の好ましい実施形態による図１のＡ−Ａ線に沿う横断面図であり、図３は本発明の好ましい実施形態によるズボンラックの連結状態を示す概略断面図である。
【００２９】
まず、図１及び図２によれば、本発明のズボンラック１００は、大体本体部１１０及び支持棒１２０を含んで構成される。
【００３０】
前記本体部１１０は板状形態で、上下側には本体部１１０を直接壁面、たんす若しくはここでは支持部材１４０（図示しない）にボルト、螺子及び釘などの固定手段を介して付着させることができるようにする複数の締結孔１１２が形成されている。勿論、前記固定手段の代りに背面に接着剤及び両面テープを具備して簡便に付着させることもできるが、このような付着方式は既に公知されているため本発明ではさらなる詳細な説明は省略する。
【００３１】
また、前記支持棒１２０は棒状で、前記本体部１１０の前面に所定間隔に連続的に突出して形成され、その間にズボン挿入空間部１３０が所定間隔に連続的に形成されるように具備される。この時、前記支持棒１２０は、図２に示すように、平面上その厚さｔ、ｔ’が後側から前側に行くほど薄くなるように形成される。これにより前記挿入空間部１３０の幅ｓ、ｓ’は後側から前側に行くほど広くなる。また、ズボンの構造上、前方にはジッパーがあって、保管の時にはジッパー部分を内側に畳み、ズボンのプリーツが前側になるようにするので前側が後側よりもっと厚くなる。そこで、ズボンラックの支持棒の間の幅も後側より前側が広いとき保管の時に自然に安置される。しかも、その幅の差によってズボンの挿入と引出作用が容易になるように形成する。この作用関係については以下で詳しく説明する。
【００３２】
ここで、前記ズボン挿入空間部１３０の幅ｓ、ｓ’が前側に行くほど広くなる形状を有してもその前側の広さｓはズボンの上端部に形成されたベルト締結部の厚さより広くならないように形成しなければならない。
【００３３】
一方、前記支持棒１２０の長さは約３６〜４０ｃｍに形成することが好ましいが、さらに好ましくは、３６ｃｍの長さを有するものをＡタイプ、３８ｃｍの長さを有するものをＢタイプ、そして、４０ｃｍの長さを有するものをＣタイプにしてそれぞれ提供するが、Ａタイプの場合、支持棒の間に形成されたズボン挿入空間部の広さの比率を前側は６ｍｍ、後側は４ｍｍにし、Ｂタイプの場合、前側は８ｍｍ、後側は６ｍｍにし、Ｃタイプの場合、前側は１０ｍｍ、後側は８ｍｍに形成されるようにして消費者が選択するように提供することも考慮する必要がある。
【００３４】
このように、三種類のタイプを提供するのは、ズボンのサイズによってその幅が異なるからであり、春秋服、夏服、冬服によってその厚さも異なるため、柔軟に対応できるようにし、このような数値は一例に過ぎず、多様な変形が可能である。
【００３５】
一方、前記本体部１１０の両側面には延長部１１４がさらに形成されている。図３に示すように、本体部１１０を二つ以上横方向に連結する時その連結部分にもズボン挿入空間部１３０が形成されるようにするためであり、前記延長部１１４の長さｙはズボン挿入空間部１３０の後側幅ｓ’の半分になるように形成する。これは空間を最大限に活用してズボンを保管できるように具現したのである。
【００３６】
また、前記本体部１１０と支持棒１２０で構成されたズボンラック１００は木材やプラスチック若しくは金属素材で形成されることができ、これは必要によって選択することができる。
【００３７】
以下では、下記の構成を有する本発明のズボンラック１００の使用状態及び作用関係について説明する。
【００３８】
即ち、図４は本発明の好ましい実施形態によるズボンラックの使用状態を示す概略的斜視図であり、図５は本発明の他の実施形態によるズボンラックの使用状態を示す概略的斜視図であり、図６Ａ及び図６Ｂは本発明の好ましい実施形態によるズボンラックの作用関係を示す概略的横断面図である。
【００３９】
まず、図４及び図５によれば、本発明のズボンラック１００は本体部１１０が壁面、たんすなどに直接付着されることもできるが、より安定的に付着されるように支持部材１４０、即ち、壁面及びたんすなどに付着される補強板材１４２若しくは地面に直立設置されるハンガー支柱１４４に設置されることが好ましい。
【００４０】
この時、前記補強板材１４２は壁面やたんすなどに付着される時、ボルト、釘及び螺子などの固定手段を介して付着されることができ、付着された補強板材１４２の前面に付着されるズボンラック１００の本体部１１０も同じ固定手段１５０の中の何れか一つを選択して付着することができる。
【００４１】
また、前記ハンガー支柱１４４は地面に直立設置される構造を有し、金属やプラスチック及び木材素材で形成され、その上側には前記ズボンラック１００の本体部１１０が付着される付着面１４４’を備え、前記本体部１１０は溶接または付着面に挟まれたり、前記の固定手段１５０の中の何れか一つを選択して付着されることができる。そして、前記ハンガー支柱１４４は容易に運搬できるように分離可能な構造に形成されることが好ましい。
【００４２】
このように、本発明のズボンラック１００が前記支持部材１４０を介して設置されると、破線に示すように、ズボン２００をかけて保管することができる。通常、ズボン２００は着用者の腰部分を囲むベルト締結部２１０が他の部分に比べて厚く製作され、その部分には間歇的にベルト通し２２０が付着される。
【００４３】
そこで、ズボン２００を長く広げた状態で、ベルト締結部２１０の下側原緞部分を支持棒１２０の間に形成されているズボン挿入空間部１３０に挿入させると、比較的厚く形成されたベルト締結部２１０の両側がズボン挿入空間部１３０の両側面に具備された支持棒１２０の上面に自然に安置されながらズボンは長く広げられた状態で保管される。図６でさらに詳しく説明する。
【００４４】
即ち、図６Ａによれば、ズボンラック１００の前側に形成されたズボン挿入空間部１３０にズボン２００を挿入させ、ベルト締結部２１０より薄く形成された部分、即ち、ベルト締結部２１０の下側ポケットが形成されている部分を通じて挿入させる。この時、前記ズボン挿入空間部１３０は前側が広く形成されているので、この挿入過程若しくは引出過程がより容易になることは当然である。
【００４５】
また、図６Ｂに示すように、ズボン２００の挿入過程が完了されると、ベルト締結部２１０の両側がズボン挿入空間部１３０の両側に具備された支持棒１２０の上面に自然に安置されながら保管される。このような方式で、他のズボン挿入空間部１３０にもズボン２００をそれぞれ保管させると複数のズボンを保管することができる。
【００４６】
即ち、ズボン２００の厚さの差を利用してズボン挿入空間部１３０に挿入させて保管が完了されるので、非常に簡単で且つ皺の付くことなくズボンを保管することができる。また、ズボン挿入空間部１３０が前側が広く形成されるので保管過程と選択引出が容易で、限定された空間内に複数のズボン２００を保管させることができるので、空間を効率的に活用することができ、特にズボンラック１００を複数連結する時その連結部分にも延長部１１４を具備してズボン挿入空間部１３０として活用することができるので、その空間活用度がさらに優れるという長所がある。
【００４７】
本発明のまた他の実施形態であるズボンラックをより詳しく説明する。
【００４８】
図７は本発明の好ましいまた他の一実施形態によるズボンラックの一部分離斜視図であり、図８Ａは本発明の好ましいまた他の一実施形態によるラック手段の拡大斜視図であり、図８Ｂはラック手段の平面図であり、図９は本発明の好ましいまた他の一実施形態によるズボンラックの一部分離斜視図であり、図１０は本発明の好ましいまた他の一実施形態によるラック手段の拡大斜視図であり、図１１は本発明の好ましいまた他の一実施形態によるズボンラックの概略的平面図である。
【００４９】
まず、図７及び図８によれば、本発明の幅調節可能なズボンラック１００’は、大体ガイドバー３１０、ラック手段３２０及び固定装置３３０を含んで構成される。
【００５０】
前記ガイドバー３１０は所定長さを有するもので、図示した四角形形状は勿論、図示しない三角形及び多角形などに具現されてもよく、壁面、たんす若しくは支持部材にボルト、螺子及び釘などの固定手段を介して付着固定されてもよい。ボルトや螺子及び釘を使って固定させる場合には、ガイドバー３１０を直接締結するよりはガイドバー３１０の両端部に結合されるブラケット３１２を通じて固定させることができ、前記ガイドバーの側面を壁面に固定させることができる安置台３１６を介して壁面に付着されることができる。
【００５１】
また、前記ラック手段３２０は前記ガイドバー３１０に分離可能に嵌合されるように左右側に貫通された形状を有する本体３２２及び前記本体３２２の前面から前側に突出して形成される支持棒３２６で構成され、少なくとも二つが前記ガイドバー３１０に結合されて前記支持棒３２６の間にズボンを挿入することができる収納空間であるズボン挿入空間部３２８を形成する。一方、前記ズボン挿入空間部３２８を形成するために前記本体３２２の両側面には前記支持棒３２６の広さｔ、ｔ’よりもっと突出された突出部３２４が形成されている。このような状態で、二つのラック手段３２０を互いに密着させると二つの突出部３２４が会って支持棒３２６の間にはズボン挿入空間部３２８が形成される。
【００５２】
この時、前記ラック手段３２０は着脱可能であるので、前記ズボン挿入空間部３２８は使用者のズボンの数によって増やしたり減らすなどの変形が可能である。
【００５３】
図９は本発明の好ましい他の一実施形態によるズボンラックの一部分離斜視図であり、図１０は本発明の好ましい他の一実施形態によるラック手段の拡大斜視図である。
【００５４】
図９及び図１０に示すように、前記本体３２２の下部に突出バー３２３と挿入口３２５を形成させて前記ガイドバー３１０の側面から嵌めないで上下に強制的に嵌めて使用することができ、必要によって前記本体３２２の前方に取っ手部３２７を形成し、親指と薬指で前記取っ手部３２７を持って引いて前記本体３２２を前記ガイドバー３１０から離脱させることができる。
【００５５】
前記ガイドバー３１０は両側面が安置台３１６によって壁面に付着されることができ、前記安置台３１６は前記ガイドバー３１０の側面が挿入されて固定されることができるように中央に安置溝３１８が形成されている。
【００５６】
前記安置台３１６は、図示しないが、釘や螺子などを利用して壁面に固定させることができ、前記安置溝３１８は前記ガイドバー３１０の側面と同じ大きさと形状を有する。
【００５７】
一方、前記支持棒３２６は、図８及び図１１に示すように、平面上その厚さｔ、ｔ’が後側から前側に行くほど小さくなるように形成される。これにより前記挿入空間部３２８の幅ｓ、ｓ’は後側から前側に行くほど広くなる。これは、ズボンの構造上、前方にはジッパーがあって、保管の時にはジッパー部分を内側に畳んでズボンのプリーツが前側になるようにするので前側が後側よりもっと厚くなる。そこで、ズボンラックの支持棒の間の幅も後側より前側が広いとき保管の時に自然に安置される。しかも、その幅の差によってズボンの挿入と引出作用が容易になるように形成する。この作用関係については以下で詳しく説明する。
【００５８】
ここで、前記ズボン挿入空間部３２８の幅ｓ、ｓ’が前側に行くほど広くなる形状を有してもその前側の広さｓはズボンの上端部に形成されたベルト締結部の厚さより広くならないように形成しなければならない。
【００５９】
また、春秋服、夏服、冬服によってその厚さも相異しているので、柔軟に対応することができるように間隔維持部３１４を具備する。ズボン挿入空間部３２８の幅よりもっと厚いズボンを収納する場合、人為的にズボン挿入空間部３２８の幅を広げることができるように前記本体３２２の間に嵌合される間隔維持部３１４をさらに具備することが好ましい。
【００６０】
このような、前記間隔維持部３１４は左右側に貫通されることは勿論、下側に開放された形態を有し、ラック手段３２０の本体３２２の間に締結されて支持棒３２６の間に形成されたズボン挿入空間部３２８を広げるもので、本体３２２と本体３２２との間を離間させた後、その間に間隔維持部３１４の開放された下側を開いて締結すれば容易に装着することができる。
【００６１】
最後に、前記固定装置３３０は前記ラック手段３２０が無断に遊動されることを防止するように、前記ガイドバー３１０の両側に結合されて前記ラック手段３２０に緊密に固定されるもので、前記ガイドバー３１０に結合されるように左右に貫通された形状のクリップ３３２と、前記クリップ３３２の上面でボルト結合された後ガイドバー３１０の上面に密着されてクリップ３３２の遊動を防止する蝶ボルト３３４を含んで構成される。
【００６２】
この時、前記間隔維持部３１４を装着するためには前記固定装置３３０の拘束力を解除した後、前述したように、前記ラック手段３２０の本体３２２を互いに離間させて、その間に間隔維持部３１４を装着し、その後また固定装置３３０の拘束を通じてラック手段３２０の遊動を防止する。
【００６３】
また、前記ガイドバー３１０、ラック手段３２０及び固定装置３３０で構成された幅調節可能なズボンラック１００’は木材やプラスチックまたは金属素材で形成されることができ、必要によって選択することができる。
【００６４】
以下では、前述した構成を有する本発明のズボンラック１００’の使用状態及び作用関係について説明する。
【００６５】
即ち、図１２は本発明の好ましいまた他の一実施形態によるズボンラックの使用状態を示す概略的斜視図であり、図１３は本発明の好ましい他の一実施形態によるズボンラックの使用状態を示す概略的斜視図であり、図１４は本発明の好ましい他の一実施形態によるズボンラックの使用状態を示す概略的斜視図及び部分拡大図であり、図１５は図１４の概略的側断面図であり、図１６Ａ及び図１６Ｂは本発明の好ましいまた他の一実施形態によるズボンラックの作用関係を示す概略的平面図であり、図１７は本発明の好ましいまた他の一実施形態によるズボンラックを上着かけとして使うことができるように示した概略的斜視図である。
【００６６】
まず、図１２及び図１３によれば、本発明の幅調節可能なズボンラック１００’は、ガイドバー３１０を前記に説明したように、安置台３１６を利用して壁面に付着してもよく、壁面、たんすなどに直接付着してもよく、より安定的に付着されることができるように支持部材３４０、即ち、壁面及びたんすなどに付着される補強板材３４２若しくは地面に直立設置されるハンガー支柱３４４に設置してもよい。
【００６７】
この時、前記補強板材３４２は壁面やたんすなどに付着される時ボルト、釘及び螺子などの固定手段１５０を介して付着されることができ、付着された補強板材３４２の前面に付着される幅調節可能なズボンラック１００’のガイドバー３１０も同じ固定手段１５０’若しくはブラケット３１２の中の何れか一つを選択して付着することができる。
【００６８】
また、前記ハンガー支柱３４４は地面に直立設置される構造を有し、金属やプラスチック及び木材で形成され、前記ガイドバー３１０は前記ハンガー支柱３４４に直接設置されたり、安置台３４６が形成された固定具３４５に前記ハンガー支柱３４４に嵌合されて設置されることができる。
【００６９】
前記ハンガー支柱３４４は、図１４及び図１５に示すように、一対の上部連結棒３６０と下部連結棒３７０で構成されて、前記上部連結棒３６２の外径が前記下部連結棒３７２の内径に挿入されて固定されることができる。
【００７０】
前記安置台３４６はＬ字状を有し、下部に前記上部連結棒３６０が挿入されることができるように、前記固定具３４５が形成されて前記上部連結棒３６０が前記固定具３４５に挿入され、前記安置台３４６の一側に前記ガイドバー３１０が挿入され、前記ガイドバー３１０は前記安置台３４６と前記上部連結棒３６０によって固定される。
【００７１】
前記上部連結棒３６０と下部連結棒３７０との間にズボンの長さによって所望の高さ延長部３８０を挿入して前記安置台３４６の高さを調節して前記ガイドバー３１０の高さを調節することができる。
【００７２】
このように、本発明の幅調節可能なズボンラック１００’が前記支持部材３４０を介して設置されると、破線で示すように、ズボン２００をかけて保管することができる。通常ズボン２００は着用者の腰部分を囲むベルト締結部２１０が他の部分に比べて厚く製作され、その部分には間歇的にベルト通し２２０が付着される。
【００７３】
そこで、ズボン２００を長く広げた状態でベルト締結部２１０の下側原緞部分を支持棒３２６の間に形成されているズボン挿入空間部３２８に挿入させると、比較的厚く形成されたベルト締結部２１０の両側がズボン挿入空間部３２８の両側面に具備された支持棒３２６の上面に自然に安置されながらズボン２００は長く広げられた状態に保管される。図１５でさらに詳しく説明する。
【００７４】
即ち、図１６Ａによれば、幅調節可能なズボンラック１００のラック手段３２０である本体３２２の前側に形成されたズボン挿入空間部３２８にズボン２００を挿入させるが、ベルト締結部２１０より薄く形成された部分、即ち、ベルト締結部２１０の下側ポケットが形成されている部分を通じて挿入させる。この時、前記ズボン挿入空間部３２８は前側が広く形成されているので、この挿入過程または引出過程がより容易になる。
【００７５】
そして、図１６Ｂに示すように、ズボン２００の挿入過程が完了されると、ベルト締結部２１０の両側がズボン挿入空間部３２８の両側に具備された支持棒３２６の上面に自然に安置されながら保管されることができ、このような方式で他のズボン挿入空間部３２８にもズボン２００をそれぞれ保管すれば複数のズボンを保管させることができる。
【００７６】
また、前記ラック手段３２０は固定装置３３０をガイドバー３１０から分離すると容易に着脱できるので、使用者は保管するズボンの数によって必要なだけさらに結合させるか分離させる幅調節を通じて適切な数を具備することができるようにする。
【００７７】
また、前記ラック手段３２０から形成されたズボン挿入空間部３２８は本体３２２と本体３２２の間に装着される間隔維持部３１４によって保管するズボンの厚さによって必要だけの間隔維持部３１４をさらに結合させるか分離させる変形を通じて適切なズボン挿入空間部３２８を確保することができる。
【００７８】
即ち、ズボン２００の厚さの差を利用してズボン挿入空間部３２８に挿入させると保管が完了されるので、非常に簡単で、且つ皺の付くことなくズボンを保管することができる。また、ズボン挿入空間部３２８が前側が広く形成されるので保管過程と選択引出が容易で、限定された空間内で複数のズボン２００を保管することができるので、空間を効率的に活用することができ、特にラック手段３２０には必要によって人為的にズボン挿入空間部３２８を拡張させることができるように間隔維持部３１４が締結されることができるので、ズボンの厚さに大きく制限されず多様な種類のズボンも同時に収納させることができるという長所もある。
【００７９】
図１７に示すように、前記ラック手段３２０の一部または全部を分離して既存のハンガー３９０を前記ガイドバー３１０にかけて上着４００をかけることができるように使用可能である。
【００８０】
前述した内容は、発明の特許請求の範囲をより明確に理解することができるように、本発明の特徴と技術的長所を幅広く説明した。開示された本発明の概念と特定実施形態は本発明と類似する目的を達するための他の構造の設計や修正の基本となり、直ちに利用することができることは当該技術分野において通常の知識を有する者にとって自明である。
【００８１】
また、本発明で開示された発明の概念及び実施形態は本発明の同一目的を達するために他の構造に修正したり設計するための基礎で、当該技術分野における技術者によるそのような修正または変更された等価構造は特許請求範囲で記述した発明の思想や範囲を逸脱しない範囲内で多様な変化、置換及び変更が可能である。
【図１】
2013510638.tif 000003
【図２】
2013510638.tif 000004
【図３】
2013510638.tif 000005
【図４】
2013510638.tif 000006
【図５】
2013510638.tif 000007
【図６】
2013510638.tif 000008
【図７】
2013510638.tif 000009
【図８】
2013510638.tif 000010
【図９】
2013510638.tif 000011
【図１０】
2013510638.tif 000012
【図１１】
2013510638.tif 000013
【図１２】
2013510638.tif 000014
【図１３】
2013510638.tif 000015
【図１４】
2013510638.tif 000016
【図１５】
2013510638.tif 000017
【図１６】
2013510638.tif 000018
【図１７】
2013510638.tif 000019
【国際調査報告】
2013510638.tif 000020
2013510638.tif 000021
2013510638.tif 000022
2013510638.tif 000023